(57)【要約】      （修正有）【課題】金属パネルに取り付けるより便利でより安価な固定用リング固定装置の提供。【解決手段】取手となるリング６を枢軸回転可能に取り付ける手段を有する基部２と、基部２から延びる第１の脚部ペア１０Ａ、１０Ｂと、第１の脚部の間に配置されているビーム１１と、基部２に接続されている第２の脚部ペアとを備える突起部７と、基部２に開けられた貫通孔２１を通る、ネジ山を有するシャフト３とを備え、各脚部１０Ａ、１０Ｂが脚部の幅全体にわたる肩部１６を有し、肩部１６は脚部の第１の円筒部１４Ａとそれよりも薄い第２の円筒部１４Ｂの移行部になっている。車体等の金属パネル２７の穴２８に突起部７を挿入し、工具でシャフト３を回すと、ビーム１１の金属製ナット４がシャフト３に沿って上昇して脚部１０Ａ，１０Ｂを圧縮し、脚部は部分１５を外方に押し出すように折れ曲がり、基部３の支持面３５とでパネル２７の裏側にしっかりと固定される。【選択図】図４
2006258295.tif 000002
【特許請求の範囲】
【請求項１】
担持部材（２６）に固定用リング（６）を固定する装置であって、
基部（２）であって、リング（６）を枢軸回転可能に取り付ける手段（５）を備えていて、担持部材（２６）に開けられた所定形状の開口部（２８）の周辺部の面に支持される基部（２）と；
突起部（７）であって、互いに向かい合った状態で基部（２）から延びる第１の脚部ペア（１０Ａ、１０Ｂ）と、その脚部ペア（１０Ａ、１０Ｂ）の間に配置されているビーム（１１）と、互いに向かい合った状態でそれぞれ基部（２）だけに接続され、間隙（１３）によって隔てられている第２の脚部ペア（１２Ａ、１２Ｂ）とを備えていて、基部（２）に取り付けられた状態で担持部材（２６）の開口部（２８）の中に軸方向に沿って導入される突起部（７）と；
シャフト（３）であって、基部（２）を貫通して第２の脚部ペア（１２Ａ、１２Ｂ）の間の位置に開けられた貫通孔（２１）を通過してビーム（１１）に捕えられ、そのビーム（１１）を基部（２）に向けて移動させるシャフト（３）とを備え；
ビーム（１１）は、第２の脚部ペア（１２Ａ、１２Ｂ）と向かい合っていて間隙（１３）を目指すコーナー部（１９）を持ち、第１の脚部ペア（１０Ａ、１０Ｂ）は、ビーム（１１）が基部（２）に向かって移動したときに折れ曲がり、第２の脚部ペア（１２Ａ、１２Ｂ）は、ビーム（１１）のコーナー部（１９）が間隙（１３）の中に嵌まり込んだときに外側に向かって撓み；
第１の脚部ペア（１０Ａ、１０Ｂ）の各脚部は、基部（２）に隣接していて軸方向の高さが担持部材（２６）の高さに対応している第１の円筒部（１４Ａ）と、それよりも薄くて基部（２）から離れている第２の円筒部（１４Ｂ）とを備え、
第１の脚部ペア（１０Ａ、１０Ｂ）の各脚部は、内側に、軸方向とは直角な方向にその脚部（１０Ａ、１０Ｂ）の幅全体に沿って一様な肩部（１６）を持ち、その肩部（１６）は、第１の円筒部（１４Ａ）と第２の円筒部（１４Ｂ）の間の移行部となっている、
ことを特徴とする装置。
【請求項２】
基部（２）が、第１の脚部ペア（１０Ａ、１０Ｂ）の外側に、その脚部（１０Ａ、１０Ｂ）の両側にはみ出した支持面（３４）を備える、ことを特徴とする請求項１に記載の装置。
【請求項３】
第１の脚部ペア（１０Ａ、１０Ｂ）の各脚部が基部（２）のボス（３３）から突起していて、それぞれのボス（３３）が支持面（３４）を持ち、基部（２）が、ボス（３３）からはみ出した第２の支持面（３５）を持つ、ことを特徴とする請求項２に記載の装置。
【請求項４】
ビーム（１１）がプラスチック材料からなり、本体（１８）を備えていて、その本体（１８）からコーナー部（１９）が延びており、かつ、その本体（１８）には凹部（２０）が設けられており、
シャフト（３）が金属製でネジ山が設けられており、
この装置がさらに、金属製のナット（４）を、凹部（２０）に挿入された状態で備えていて、そのナット（４）にシャフト（３）が螺合される、
ことを特徴とする請求項１から３のいずれか１項に記載の装置。
【請求項５】
リングを枢軸回転可能に取り付ける手段（５）が２つのスロット（５）を備え、その各スロット（５）が、リング（６）のそれぞれの末端アーム部を受け入れる、ことを特徴とする請求項２から４のいずれか１項に記載の装置。
【請求項６】
それぞれのスロット（５）がアーチ状の輪郭を持つ、ことを特徴とする請求項１から５のいずれか１項に記載の装置。
【請求項７】
スロット（５）の支持面（３４）側が開いており、それぞれのスロット（５）は、基部（２）の互いに向かい合ったそれぞれの縁部にある、ことを特徴とする請求項１から６のいずれか１項に記載の装置。
【請求項８】
突起部（７）が基部（２）の中央に配置されており、２つのスロット（５）が貫通孔（２１）の両側に配置されている、ことを特徴とする請求項５から７のいずれか１項に記載の装置。
【請求項９】
第１の穴／突起部組立体を形成する貫通孔（２１）と突起部（７）に加えて、第２の穴／突起部組立体をさらに備えており、それぞれの組立体が基部（２）の端部に配置されている、ことを特徴とする請求項２から４のいずれか１項に記載の装置。
【請求項１０】
金属板（６０）をさらに備え、そのそれぞれの端部には、各突起部（７）のシャフト（３）が通過する穴を持ち、その金属板（６０）は、基部（２）と各シャフト（３）の頭部の間に挟まれる、ことを特徴とする請求項９に記載の装置。
【請求項１１】
基部（２）が全体として長方形であり、枢軸回転可能に取り付ける手段が少なくとも１つのスロット（５）を備えていて、リング（６）のうちで貫通孔（２１）の間に位置していて基部（２）の幅方向を向いている部分を受け入れる、ことを特徴とする請求項９または１０に記載の装置。
【請求項１２】
枢軸回転可能に取り付ける手段（５）が、支持面（３４）の側においてと、基部（２）の互いに向かい合った縁部のそれぞれにおいて開いている、ことを特徴とする請求項１１に記載の装置。
【請求項１３】
金属板（６０）をさらに備え、金属板（６０）のそれぞれの端部には各突起部（７）のシャフト（３）を通すための穴が開けられており、
金属板（６０）は基部（２）と各シャフト（３）の頭部の間に挟まれており、
枢軸回転可能に取り付ける手段が、基部（２）の２つの縁部と、基部（２）で支持面（３４）とは反対側とにおいて開いているスロット（５）であり、
そのスロットにリング（６）の一部が受け入れられて、その部分がスロット（５）と金属板（６０）の間に挟まれる、
ことを特徴とする請求項１１に記載の装置。
【請求項１４】
第１の脚部ペア（１０Ａ、１０Ｂ）の各脚部が、肩部（１６）の位置にある第１の折れ曲がり領域（４０）と、ビーム（１１）の位置にある第２の折れ曲がり領域（４２）と、第１の折れ曲がり領域（４０）と第２の折れ曲がり領域（４２）の途中にある第３の折れ曲がり領域（４１）とを備え、
第１の脚部ペア（１０Ａ、１０Ｂ）の各脚部は、内側に、第１の折れ曲がり領域（４０）と第３の折れ曲がり領域（４１）の間にあるリブ（１７）と、第２の折れ曲がり領域（４２）と第３の折れ曲がり領域（４１）の間にあるリブ（１７）とを備え、脚部（１０Ａ、１０Ｂ）が折れ曲がったときにそのリブ（１７）が互いに接触する、
ことを特徴とする請求項１から１３のいずれか１項に記載の装置。
【請求項１５】
請求項１から１４のいずれか１項に記載の装置と、鐙の形をしていて枢軸回転可能に取り付ける手段（５）の中に保持される固定用リング（６）とを備える、ことを特徴とする固定用支持体。
【発明の詳細な説明】
【技術分野】
【０００１】
本発明は、担持部材に固定用リングを固定する装置に関する。
【背景技術】
【０００２】
自動車のトランクにこのタイプの装置が取り付けられていることが知られている。この装置では、ビスを通すために開けた開口部を取り囲むナットが鋼板に溶接されている。この装置は、溶接の際にビスのネジ山が傷ついたり、処理または塗装の際に汚れたりする危険性があるため、自動車に取り付けるのにコストがかかる。
【発明の開示】
【発明が解決しようとする課題】
【０００３】
本発明は、担持部材に取り付ける、より便利でより安価な固定用リング固定装置を提供することを目的とする。
【課題を解決するための手段】
【０００４】
そこで本発明により、担持部材に固定用リングを固定する装置であって、
リングを枢軸回転可能に取り付ける手段を備えていて、担持部材に開けられた所定形状の開口部の周辺部の面に支持される基部と；
互いに向かい合った状態で基部から延びる第１の脚部ペアと、その脚部ペアの間に配置されているビームと、互いに向かい合った状態でそれぞれ基部だけに接続され、間隙によって隔てられている第２の脚部ペアとを備えていて、基部に取り付けられた状態で担持部材の開口部の中に軸方向に沿って導入される突起部と；
基部を貫通して第２の脚部ペアの間の位置に開けられた貫通孔を通過してビームに捕えられ、そのビームを基部に向けて移動させるシャフトとを備え；
ビームは、第２の脚部ペアと向かい合っていて間隙を目指すコーナー部を持ち、第１の脚部ペアは、ビームが基部に向かって移動したときに折れ曲がり、第２の脚部ペアは、ビームのコーナー部が間隙の中に嵌まり込んだときに外側に向かって撓み；
第１の脚部ペアの各脚部は、基部に隣接していて軸方向の高さが担持部材の高さに対応している第１の円筒部と、それよりも薄くて基部から離れている第２の円筒部とを備え、第１の脚部ペアの各脚部は、内側に、軸方向とは直角な方向にその脚部の幅全体に沿って一様な肩部を持ち、その肩部は、第１の円筒部と第２の円筒部の間の移行部となっていることを特徴とする装置が提供される。
【０００５】
そのためこの装置は、迅速に、しかも溶接の必要もなく、所定の位置に取り付けられる。
【０００６】
フランス国特許第２，７５６，３３４号により、ある部材を担持部材に固定する装置であって、その担持部材に開けた所定形状の開口部の周辺部の面に支持される基部と、その基部に支持されていてその担持部材の開口部に導入される突起部とを備えていて、その突起部が、２組の脚部ペアと、コーナー部を有するビームとを備える構成の装置が公知になっていることがわかる。
【０００７】
このような装置は、固定用リングとともにではなく、日除けのフックとともに用いられていた。出願人は、このような装置は、脚部がより太い第１の円筒部を備えているため、固定用リングに応用するのに適していることを見いだした。フランス国特許第２，７５６，３３４号にはないこの円筒部により、突起部が、固定用リング固定部材の特別な剪断応力に耐えることができる。
【０００８】
製造だけでなく利用の面でも特に簡単で便利な実施態様によると、
基部は、第１の脚部ペアの外側に、その脚部の両側にはみ出した支持面を備えており；場合によっては、
各脚部は基部のボスから突起していて、それぞれのボスは支持面を持ち、基部は、ボスからはみ出した第２の支持面を持つこと；および／または
ビームはプラスチック材料からなり、本体を備えていて、その本体からコーナー部が延びており、その本体には凹部が設けられていることと、シャフトは金属製でネジ山が設けられていることと、この装置はさらに、金属製のナットを、凹部に挿入された状態で備えていて、そのナットにシャフトが捕えられること；および／または
リングを枢軸回転可能に取り付ける手段は２つのスロットを備え、その各スロットが、リングのそれぞれの末端アーム部を受け入れ；場合によっては、
それぞれのスロットはアーチ状の輪郭を持ち；場合によっては、
スロットの支持面側は開いており、それぞれのスロットは、基部の互いに向かい合ったそれぞれの縁部にあること；および／または
突起部は基部の中央に配置されており、２つのスロットは貫通孔の両側に配置されており；または
本発明の装置は、第１の穴／突起部組立体を形成する貫通孔と突起部に加えて第２の穴／突起部組立体をさらに備えており、それぞれの組立体が基部の一端に配置されており；場合によっては、
本発明の装置は、金属板をさらに備え、そのそれぞれの端部には、各突起部のシャフトが通過する穴を持ち、その金属板は、基部と各シャフトの頭部の間に挟まれること；および／または
基部は全体として長方形であり、枢軸回転可能に取り付ける手段は少なくとも１つのスロットを備えていて、リングのうちで貫通孔の間に位置していて基部の幅方向を向いている部分を受け入れ；場合によっては、
枢軸回転可能に取り付ける手段は、支持面の側においてと、基部の互いに向かい合った縁部のそれぞれにおいて開いており；または
本発明の装置は金属板をさらに備え、その金属板のそれぞれの端部には各突起部のシャフトを通すための穴が開けられており、その金属板は基部と各シャフトの頭部の間に挟まれており、枢軸回転可能に取り付ける手段は、基部の２つの縁部においてと、基部で支持面とは反対側とにおいて開いているスロットであり、そのスロットにリングの一部が受け入れられてその部分がスロットと金属板の間に挟まれていること；および／または
第１の脚部ペアの各脚部は、肩部の位置にある第１の折れ曲がり領域と、ビームの位置にある第２の折れ曲がり領域と、第１の折れ曲がり領域と第２の折れ曲がり領域の途中にある第３の折れ曲がり領域とを備え、第１の脚部ペアの各脚部は、内側に、第１の折れ曲がり領域と第３の折れ曲がり領域の間にあるリブと、第２の折れ曲がり領域と第３の折れ曲がり領域の間にあるリブとを備え、脚部が折れ曲がったときにそのリブが互いに接触することを特徴とする。
【０００９】
本発明では、上記の装置と、鐙の形をしていて枢軸回転可能に取り付ける手段の中に保持される固定用リングとを備える固定用支持体も提供される。
【００１０】
本発明の特徴および利点は、添付の図面を参照して行なう好ましい実施態様に関する以下の説明から明らかになろう。
【発明を実施するための最良の形態】
【００１１】
図１−４に示した固定用支持体１は、成形プラスチック材料からなる単一部材の基部２と、金属製ビス３と、正方形をした金属製ナット４とを備える固定装置を有する。
【００１２】
基部２は、リング６を受け入れる２つのスロット５を備えており、その基部２には固定用突起部７が取り付けられている。
【００１３】
突起部７は、互いに向かい合った状態で基部２から延びる脚部ペアを２組備えている。それは、それぞれ、脚部ペア１０Ａ、１０Ｂと、脚部ペア１２Ａ、１２Ｂである。脚部１０Ａと１０Ｂの間にはビーム１１が設けられており、脚部１２Ａと１２Ｂは、それぞれ基部２だけに接続されていて、間隙１３によって隔てられている（図３）。
【００１４】
脚部１０Ａと１０Ｂは、それぞれ、第１の部分１４と湾曲部分１５を有する。
【００１５】
第１の部分１４は第１の円筒部１４Ａを備えており、その後に第２の円筒部１４Ｂが続いている。それぞれの第１の円筒部１４Ａは、基部２から所定の距離にわたって延びている。この距離は、突起部７の主要方向に対応する軸方向に測定する（この方向は、突起部を担持部材の開口部に挿入する方向にも対応している）。この距離は、支持体１を固定することになる担持部材の厚さに対応している（図４を参照のこと）。
【００１６】
それぞれの第１の円筒部１４Ａの厚さ（図２の平面内で軸方向に対して直角な距離）は、基部２から離れるにつれて薄くなる。脚部１０Ａ、１０Ｂは、根元の位置において、基部２とで脚部１２Ａ、１２Ｂと接触する内面を形成している。この内面は、基部２から離れるにつれて脚部１２Ａ、１２Ｂから離れる。そのために十分なスペースが確保され、脚部１２Ａ、１２Ｂが撓む動きが邪魔されない。
【００１７】
脚部１０Ａ、１０Ｂの外面は、円筒部１４Ａ、１４Ｂの位置でほぼ平らになっている。円筒部１４Ｂは、円筒部１４Ａよりもはるかに薄い。２つの円筒部１４Ａと１４Ｂは、肩部１６を介してつながっている。この肩部１６は、ここでは円筒部１４Ｂの側が丸くなっている。
【００１８】
軸方向に沿って基部２からさらに離れていくと、第１の部分１４のあとに部分１５が続いている。この部分１５の外面はわずかに凸になっているのに対し、内面はぎざぎざした形状になっている。
【００１９】
部分１５は、内側に、厚さが第２の円筒部１４Ｂと同等な円筒部によって互いに隔てられた２つのリブ１７を有する。部分１５の厚さは、リブ１７の位置で第２の円筒部１４Ｂの厚さのほぼ２倍である。
【００２０】
脚部１０Ａと１０Ｂの先には、ビーム１１への接続部がある。
【００２１】
ビーム１１は、脚部１０Ａと１０Ｂに直接接続された本体１８と、その本体１８から延びるコーナー部１９とを備えている。コーナー部１９は、脚部１２Ａと１２Ｂの間にある間隙１３を向いている。
【００２２】
凹部２０が本体１８に設けられており、ナット４がその凹部２０に挿入される。
【００２３】
ビス３のシャフトがナット４に捕えられるよう、基部２と脚部１２Ａ、１２Ｂには貫通孔２１が開けられており、ビーム１１には、貫通孔２１と似た同軸の貫通孔２２が設けられている。
【００２４】
脚部１２Ａと１２Ｂに関しては、内側には貫通孔２１に対応する中空部があるのに対し、間隙１３と平行な外面には溝２３が設けられていて、支持体１を固定することになる担持部材に脚部１２Ａ、１２Ｂを容易に捕えられるようになっている。
【００２５】
それぞれの脚部１２Ａ、１２Ｂで横方向に間隙１３と向かい合う外面は、脚部１２Ａ、１２Ｂの自由端よりも前の位置に、貫通孔２１の側壁を横切る傾斜部２４を備えている。そのため一種の隈切面２５が存在することになる（図３、図８）。脚部１２Ａ、１２Ｂで横方向に間隙１３と向かい合うそれぞれの外面に傾斜部２４が存在しているため、４種類の隈切面２５が存在し、そのそれぞれが、コーナー部１９が間隙１３に向かうときのセンタリング面を形成する。
【００２６】
支持体１を固定することになる担持部材は金属板２６（図４）である。金属板２６は補強パネル２７で覆われており、突起部７の全断面に対応する長方形の穴２８が金属板２６に開けられている。穴２８よりも大きな穴が補強パネル２７に開けられている。
【００２７】
基部２は、長方形の２枚のパネル３０を有する全体が正方形の土台を備えており、その２枚のパネル３０は、２つのスロット５と円筒形のパイプ部３２とを有する中央部によって隔てられている。パイプ部３２は、基部２の中央に位置して貫通孔２１を取り囲んでいる。
【００２８】
スロット５は、水平な状態でパイプ部３２に向かっており、アーチ状の壁部３１の位置で終わっている。スロット５は、パネル３０の内面の平面内に広がっている。壁部とパイプ部は、ほぼ同じ高さである。
【００２９】
基部２の四辺は盛り上がった縁部になっている。この縁部は、スロット５およびパイプ部３２と同じ側に突起している。スロット５のない２辺の縁部は、高さがパイプ部３２よりも低い。残りの２辺の縁部は、逆Ｖ字形になっていて、その頂点がそれぞれの壁部３１の頂点と一致している。それぞれのスロット５は、パイプ部３２とは反対側の端部が縁部の中で開いた状態になっている。
【００３０】
基部２０は各パネル３０の下の位置にボス３３をさらに備えている。このボス３３は、基部２０の残りの部分と一体成形されている。各ボス３３は自由状態の下面を備えており、その下面から脚部１０Ａと１０Ｂが突起している。脚部１０Ａと１０Ｂは、下面の互いに最も近い縁部から突起している。各下面の残りの部分は、金属板２６の上に載る基部２の支持面３４を形成している。
【００３１】
パネル３０はボス３３からはみ出してボス３３とパネル３０の間に肩部を形成し、補強パネル２７の上に載る基部の支持面３５を規定している。２つのボス３３の輪郭は、補強パネル２７の穴に合致している。
【００３２】
２つのボス３３はパイプ部３２の延長線上にある壁部３８によって互いにつながっていて、壁部３８の端部から脚部１２Ａ、１２Ｂが延びている。壁部３８は、軸方向に延びる中央突出部３９を備えており、その中央突出部３９の上方では、ラチェットのリブ３６が横方向に延びている。このリブ３６はスロット５の開口部の直下に位置し、三角形の断面を有する。リブ３６は、脚部１２Ａ、１２Ｂが互いに離れるほどせり上がる。リブ３６は、肩部３７を介してパイプ部３２につながっている。
【００３３】
プラスチック製のリング６は、断面が丸くなったＵ字状の部分を有する鐙の形をしている。平行な２本の枝部は、互いに位置が揃った２本の円筒形アームによって閉じられている。図１からわかるように、スロット５がリング６のアームを受け入れる。リング６のアームの直径は、肩部３７とスロット５の最上部を隔てている距離に対応するため、まずアームをリブ３６の下に配置し、次いでスロット５のほうに持ち上げることによってアームをロックする。アームとスロット５はそれぞれこのような形状になっているため、アームはスロットの中で回転運動をすることができ、したがってリング６はスロット５に対して枢軸回転できる。
【００３４】
支持体１を固定するには、基部２が支持面３４に支持されるまで突起部７を穴２８に挿入する。
【００３５】
この挿入は、脚部１０Ａと１０Ｂの湾曲部分１５が可撓性を持っているために可能になる。すなわち湾曲部分１５が内側に撓んで穴２８を貫通した後、部分１５が広がって仮の位置に保持される。そこでビス３の頭部にビス３を回す道具を当て、ビーム１１を基部２に向けて移動させる方向にビスを回す。ナット４がビス３のシャフトに沿って上昇するにつれ、ビス３のより多くの部分がビーム１１の下に現われる（図４）。
【００３６】
すると脚部１０Ａと１０Ｂの部分１５は外側に撓み（脚部１０Ａと１０Ｂが曲がることで、この方向の撓みが始まる）、脚部１２Ａ、１２Ｂに近づくコーナー部１９がついに隈切面２５と接触し、そのおかげで互いにセンタリングがなされ、次いでコーナー部が間隙１３の中に言わば侵入するため、脚部１２Ａ、１２Ｂが外側に折れ曲がる。脚部１０Ａ、１０Ｂの撓みと脚部１２Ａ、１２Ｂの折れ曲がりは、ビス３が回されている間は続くが、ビスを回す道具は、所定の偶力に達して支持体１が正しく固定されるのに十分なだけ脚部が変形したときに外す。すると図４に示した状態になる。この状態では、突起部のそれぞれの脚部１０Ａ、１２Ａ、１０Ｂ、１２Ｂが金属板２６の裏側にしっかりと固定される。
【００３７】
この状態では、脚部１０Ａと１０Ｂは、折れ曲がって明確に異なる３つの折れ曲がり領域４０、４１、４２に存在している。折れ曲がり領域４０は、第１の円筒部１４Ａと第２の円筒部１４Ｂの接合部にある肩部１６に位置している。折れ曲がり領域４１は、２つのリブ１７の間にある部分１５の中央に位置している。折れ曲がり領域４２は、部分１５よりも先の部分に位置している。この状態では、部分１５それ自体が折れ曲がっているため、２つのリブ１７が互いに接触する。リブ１７の位置の厚みがこのように増すと、折れ曲がり領域４１と４２の位置での折れ曲がり角度が制限されるためにこの折れ曲がり領域に及ぶ力が制限されるとともに、力ずくで穴２８を通ることが避けられる。
【００３８】
脚部１２Ａと１２Ｂには傾斜部２４がある。そのためこれら脚部は、ほぼ全長にわたり、基部２に近づくにつれて徐々に幅（図９のビス３の軸に直角な方向のサイズ）が大きくなっていることがわかるであろう。その結果、コーナー部１９を間隙１３の中に押し込むのに必要な力は、挿入するにつれて徐々に大きくなる。さらに、コーナー部１９と間隙１３がうまく揃わない場合には、隈切面２５が存在しているため、コーナー部がまだ十分に間隙１３の中に侵入していないときに硬い点が生じてビス３を回す道具が外れることが避けられる。
【００３９】
支持体が固定されると、さまざまな部材を固定するのにリングを役立てることができる。支持体は引っ張り力を受けるが、脚部と支持面によってその力に抵抗し、支持体を担持部材に固定したままにする。支持体は、特に金属板２６の穴がある面内で剪断力も受ける。円筒部１４Ａの厚くなった部分がこの平面内で折れ曲がり領域を補強しているが、脚部１２Ａと１２Ｂの動きを妨げることはない（円筒部は、基部に近いほうの端部で脚部と一時的に接触するだけである）。
【００４０】
別の一実施態様によると、固定用支持体１は、２つの突起部７を備えている。これら２つの突起部７のそれぞれは、脚部１０Ａと１０Ｂに関して第１の円筒部１４Ａの厚みが一定であることと、肩部１６がここではまっすぐであることを除き、図１−４を参照して説明した突起部と同じである。円筒部１４Ａは脚部１２Ａ、１２Ｂと接触しておらず、支持体を担持部材の上に配置したときに折り曲げ運動を邪魔しないだけのスペースがある。さらに、脚部１０Ａと１０Ｂにはリブ１７がない。
【００４１】
基部２は全体として長方形であり、３つの正方形部分を有する。中間部５０を中心にして２つの端部５１があり、その２つの端部５１のそれぞれは、貫通孔２１と揃った位置にビス３の通る穴を有する。それぞれの端部５１の下方には２つのボス３３が延びている。ボスの方が幅が狭いため、支持面３４もやはりより狭くなっている。中間部５０の下面は補強パネルに支持されるようになっているため、支持面３５も２つの突起部の間に存在することができる。
【００４２】
ここでは中間部５０は、図５にVIII-VIIIで示した平面内で、平坦な三角形の断面を有する（図８）。この断面は、外側に向かっている。断面が円形の溝が中間部５０の位置に存在している。この溝は外側に向かって開いており、リング６を受け入れることになる。
【００４３】
縁部は、主に中間部の２つの辺でＶ字形になっている。この縁部には、溝の位置に２つの丸い切り取り部５２がある。切り取り部は、基部２の外側に向かって開いている。切り取り部はリング６を受け入れるようになっており、その互いに平行な２つの枝部は、まっすぐな部分によってつながっている。
【００４４】
固定用支持体は、全体の形状が基部２に合致した金属製の補強板６０をさらに備えている。この補強板６０は、両端にそれぞれ位置する２つの穴を備えている。補強板６０の中央領域は、中間部５０の形状に対応する逆Ｖ字形である。リング６が切り取り部の中に位置し、補強板６０が基部２の上に位置したとき、補強板６０の穴が端部５１の穴と一致するため、ビス３のシャフトが通過できるようになる。ビス３の頭部は補強板６０を基部２に固定し、補強板６０は、リング６を、切り取り部と、中間部５０の溝の表面と、補強板６０とによって規定される凹部の中に固定する。リングの断面、溝の断面、切り取り部の断面の形状が互いに対応しているため、リング６は、基部２の中に保持されているとはいえ、自由に枢軸回転する。
【００４５】
支持体１を固定することになる担持部材（図示せず）は、金属板と、その金属板を覆う補強パネルとを備えている。突起部７の全体的な断面形状にそれぞれ対応する長方形をした２つの穴が、その補強パネルと金属板に開けられている。
【００４６】
支持体１を固定するには、基部２が、穴の周辺部の面に支持面３４によって支持され、補強パネルの面には支持面３５によって支持されるまで、それぞれの突起部７を穴に挿入する。
【００４７】
ビス３を回す道具をビスの頭部に当て、補強板６０が基部２に対して動かないようにしつつ、ビーム１１を基部２に向けて移動させる方向にビスを回す。
【００４８】
別の実施態様（図１０と図１１）によると、中間部の溝と切り取り部は、突起部７に向かって開いている。したがって板６０は、補強の役割を果たす。支持体１が担持部材の上にあるとき、リング６は、切り取り部と、中間部５０の溝の面と、補強板とによって規定される凹部の中に保持される。
【００４９】
図示していない一実施態様によると、補強板の目に見える面にはサイン（ロゴ、スローガン）を取り付ける。
【００５０】
別の一実施態様によると、脚部１０Ａと１０Ｂは、図１−４に示した突起部７のリブ１７と同様のリブを有する。
【００５１】
図１−４に示した実施態様の別の一実施態様によると、脚部１０Ａと１０Ｂにはリブ１７がない。
【００５２】
図示した実施態様の別の一実施態様によると、第１の円筒部１４Ａと肩部１６は形状が異なっている。
【図面の簡単な説明】
【００５３】
【図１】本発明の固定装置と固定用リングを備える固定用支持体の斜視図である。
【図２】図１に示した支持体の立面図である。
【図３】図２に示した突起部の一部を、図１にIII-IIIで示した平面で切断した断面図として示した図である。
【図４】図２と同様の図であり、支持体が、断面図として示した担持部材の上に配置されてその担持部材に固定されている。
【図５】別の実施態様による固定用支持体の斜視図である。この装置は、基部の両端に２つの同じ突起部を備えている。
【図６】図５に示した支持体の立面図である。
【図７】図６の支持体を左側から見たときの図である。
【図８】図５にVIII-VIIIで示した平面で切断した支持体の断面図である。
【図９】図８にIX-IXで示した平面で切断した支持体の断面図である。
【図１０】図４に示した支持体の別の一実施態様に関する図５と同様の図であり、固定用リングを受け入れるスロットが突起部の側に開いている。
【図１１】図１０に示した支持体の立面図である。
【図１】
2006258295.tif 000003
【図２】
2006258295.tif 000004
【図３】
2006258295.tif 000005
【図４】
2006258295.tif 000006
【図５】
2006258295.tif 000007
【図６】
2006258295.tif 000008
【図７】
2006258295.tif 000009
【図８】
2006258295.tif 000010
【図９】
2006258295.tif 000011
【図１０】
2006258295.tif 000012
【図１１】
2006258295.tif 000013